(57)【要約】【課題】錘体と遮水用フェンスの下端を浮上させる袋体とがコンパクトで、水の抵抗を受け難い浮沈式フェンスを提供する。【解決手段】水面に浮上するフロート１８（Ａ，Ｂ）と、フロート１８（Ａ，Ｂ）から水中に垂れ下がる遮水用フェンス１７と、遮水用フェンス１７の下端を沈めるための錘体４と、エアの浮力によって遮水用フェンス１７の下端を浮上させ得るようにエアを給排可能に形成された袋体５とを備える。袋体５は、遮水用フェンスの下端に支持された第１袋体５１と、第１袋体５１に収容されエアを給排可能に形成された第２袋体５２とを備える。錘体４は、第２袋体５２に収容されている。【選択図】図４
2018178504.tif 000002
【特許請求の範囲】
【請求項１】
水面に浮かぶフロートと、前記フロートから水中に垂れ下がる遮水用フェンスと、前記遮水用フェンスの下端を沈めるための錘体と、エアの浮力によって前記遮水用フェンスの下端を浮上させ得るようにエアの給排が可能に形成された袋体とを備え、
前記錘体と前記袋体との何れか一方は、前記何れか他方に収容されていることを特徴とする浮沈式フェンス。
【請求項２】
前記袋体は、前記錘体を収容する錘体収容部を備え、
前記錘体は、前記錘体収容部に収容されていることを特徴とする請求項１記載の浮沈式フェンス。
【請求項３】
前記袋体は、前記遮水用フェンスの下端に支持された第１袋体と、前記第１袋体に収容された第２袋体とを備え、
前記第２袋体は、エアの給排が可能に形成され、
前記錘体収容部は、前記第２袋体に形成されていることを特徴とする請求項２に記載の浮沈式フェンス。
【請求項４】
前記錘体は、内部に袋体収容部を有した筒状を成しかつ内外を連通させる複数の貫通孔が周面に形成された筒状体を備え、
前記袋体は、前記袋体収容部に収容されていることを特徴とする請求項１記載の浮沈式フェンス。
【請求項５】
前記筒状体は、断面外周形状が円形状又は楕円状であることを特徴とする請求項４記載の浮沈式フェンス。
【請求項６】
請求項１乃至５の何れか一項に記載の浮沈式フェンスと、
水流によって前記遮水用フェンスに働く外力又は当該外力に比例する物理量を検出する検出部と、
前記検出部による検出値が設定値以上となると、前記遮水用フェンスの下端を浮上させるべく、前記袋体に対するエアの供給を制御する制御部と備えることを特徴とする浮沈式フェンスシステム。
【発明の詳細な説明】
【技術分野】
【０００１】
本発明は、浮沈式フェンスおよび浮沈式フェンスシステムに関する。
【背景技術】
【０００２】
従来から、河川やダム湖等においては、浮遊性ゴミの下流流出を抑制することなどを目的として浮沈式フェンスが配置される場合がある。このような浮沈式フェンスとして、例えば特許文献１に開示されるような浮沈式フェンスが知られている。特許文献１に開示された浮沈式フェンスは、上側フェンスと、下側フェンスと、それら上側フェンスと下側フェンスとのそれぞれの下端にエアによって浮力調整可能な袋体（フロート）と、袋体の外側方に袋体と別途にほぼ平行に配置した錘体とを備えたものであり、上側フェンスに配置した袋体と下側フェンスに配置した袋体の一方又は両方にエアを供給することで、上側フェンスと下側フェンスとの一方又は両方を浮上させることができるように構成されている。これにより、例えば出水期や濁水が流れてきたような場合等には、必要に応じてフェンスの下部を浮上させて通水を行うことができるようになっている。
【先行技術文献】
【特許文献】
【０００３】
【特許文献１】特許第３６３２０００号公報
【発明の概要】
【発明が解決しようとする課題】
【０００４】
しかしながら、特許文献１のような浮沈式フェンスは、袋体の外側方に袋体とは別途に錘体が配置されているため、袋体と錘体とが嵩張ってしまい、袋体と錘体のそれぞれが水の抵抗になってしまう。そのため、フェンス下端に配置した錘体と袋体とを水中に沈めておく通常状態の場合に、円滑に水を流し難くなる。また、水の抵抗によってフェンス下端の円滑な上げ下げが阻害されることも考えられる。さらに、フェンス下端の上げ下げに際して、錘体やこれに引っ掛かった異物によってフェンスを損傷することも考えられる。
【０００５】
本発明は、前記問題を解消するためになされたもので、錘体と遮水用フェンスの下端を浮上させる袋体とがコンパクトで、水の抵抗を受けにくい浮沈式フェンスの提供を目的とする。より好ましくは、フェンスの上げ下げに際して錘体やこれに引っ掛かった異物によって損傷を与えるおそれの少ない浮沈式フェンスの提供を目的とする。
【課題を解決するための手段】
【０００６】
前記課題を解決するために、本発明は、水面に浮かぶフロートと、前記フロートから水中に垂れ下がる遮水用フェンスと、前記遮水用フェンスの下端を沈めるための錘体と、エアの浮力によって前記遮水用フェンスの下端を浮上させ得るようにエアの給排が可能に形成された袋体とを備え、前記錘体と前記袋体との何れか一方は、前記何れか他方に収容されていることを特徴とする浮沈式フェンスを提供する。
【０００７】
この構成によれば、袋体にエアを給気して錘体の重量よりも大きい浮力を発生させることで、遮水用フェンスの下端を上げる（浮上させる）ことができる。しかも、錘体と袋体との何れか一方が他方に収容されているため、コンパクトなものにでき、水の抵抗を低減することが可能となる。したがって、遮水用フェンスの下端に配置した錘体と袋体とを水中に沈めておく通常状態の場合に、円滑に水を流すことができる。また、遮水用フェンスの下端を上げ下げする場合も、水の抵抗を低減して円滑に行うことができる。
【０００８】
なお、上記の浮沈式フェンスにおいて、前記袋体は、前記錘体を収容する錘体収容部を備え、前記錘体は、前記錘体収容部に収容されている構成とすることができる。
【０００９】
例えば袋体の外側方に錘体が袋体と別途に配置されて錘体が露出していると、錘体に異物が引っ掛かり易い。特に錘体としてチェーンを用いた場合には異物が引っ掛かりやすく、その異物が、フェンス下端の上げ下げに際してフェンスに擦れ、フェンスが損傷を受けるおそれがある。また、錘体に異物が引っ掛かっていない場合でも、錘体自体がフェンス下端の上げ下げに際してフェンスに擦れてフェンスが損傷を受けるおそれがある。
【００１０】
しかし、錘体が袋体に収容されている上記構成によれば、例えば錘体としてチェーンを用いた場合でも、錘体に異物が引っ掛かることがなく、遮水用フェンスの下端を上げる際に当該異物が遮水用フェンスに擦れて遮水用フェンスが損傷を受けることが防止される。また、錘体が直接遮水用フェンスに擦れることがないため、例えばチェーンを錘体として用いた場合でも、当該チェーンによる損傷から遮水用フェンスを保護することができる。つまり、上記構成によれば、フェンス下端を浮沈させるためにエアが給排される袋体を、異物の引っ掛かりを防止するために錘体を覆うものとして兼用した合理的な構成が達成される。
【００１１】
また、上記の浮沈式フェンスにおいて、前記袋体は、前記遮水用フェンスの下端に支持された第１袋体と、前記第１袋体に収容された第２袋体とを備え、前記第２袋体は、エアの給排が可能に形成され、前記錘体収容部は、前記第２袋体に形成されている構成とすることができる。
【００１２】
この構成によれば、錘体を収容した第２袋体が第１袋体に収容されているため、第２袋体が遮水用フェンスに擦れて損傷を受けることが防止される。したがって、長期の使用でも、袋体が破れてフェンス下端の上げ下げに支障が生じたり錘体が露出することを防止することが可能となる。
【００１３】
前記錘体は、内部に袋体収容部を有した筒状を成しかつ内外を連通させる複数の貫通孔が周面に形成された筒状体を備え、前記袋体は、前記袋体収容部に収容されている構成とすることができる。
【００１４】
この構成によれば、錘体の袋体収容部に収容された袋体にエアを給気させて錘体の重量よりも大きい浮力を発生させることで、遮水用フェンスの下端を上げることができる。また、袋体が筒状体の内部に収容されているため、コンパクトなものにでき、円滑に水を流すことができ、また、遮水用フェンスの下端の上げ下げを円滑に行うことができる。
【００１５】
なお、上記の浮沈式フェンスにおいて、前記筒状体は、断面外周形状が円形状又は楕円状であるのが好適である。
【００１６】
この構成によれば、遮水用フェンスの下端の上げ下げ時の水の抵抗を低減でき、また、遮水用フェンスの下端を上げる際に錘体が直接遮水用フェンスに擦れた場合でも錘体の接触抵抗が小さく、遮水用フェンスが損傷を受け難くなる。
【００１７】
一方、本発明の浮沈式フェンスシステムは、上述した浮沈式フェンスと、水流によって前記遮水用フェンスに働く外力又は当該外力に比例する物理量を検出する検出部と、前記検出部による検出値が設定値以上となると、当該遮水用フェンスの下端を浮上させるべく、前記袋体に対するエアの供給を制御する制御部と備えるものである。
【００１８】
この浮沈式フェンスシステムによれば、増水時など遮水用フェンスに働く外力が大きくなる状況が発生した場合に、自動的に遮水用フェンスの下端部を浮上させて通水を促すことが可能となる。そのため、増水等による損傷から遮水用フェンスを保護することが可能となる。
【発明の効果】
【００１９】
以上の通り、本発明の浮沈式フェンスによれば、錘体と遮水用フェンスの下端を浮上させる袋体とがコンパクトで、水の抵抗を受け難い浮沈式フェンスを提供することが可能となる。
【図面の簡単な説明】
【００２０】
【図１】ダム湖に設置した本発明の第１実施形態の浮沈式フェンスの平面図である。
【図２】上流側から見た図１の浮沈式フェンスの正面図である。
【図３】浮沈式フェンスシステムの全体構成を示す回路図である。
【図４】図１の浮沈式フェンスの概略の断面図である。
【図５】図１の浮沈式フェンスに設けられた袋体にエアが供給されて遮水用フェンスの下端が浮上した状態の概略の断面図である。
【図６】第２実施形態の浮沈式フェンスの正面図である。
【図７】図６の浮沈式フェンスの概略の断面図である。
【図８】図６の浮沈式フェンスに設けられた袋体にエアが供給されて遮水用フェンスの下端が浮上した状態の概略の断面図である。
【発明を実施するための形態】
【００２１】
以下、本発明を実施するための形態について、図面を参照しながら詳細に説明する。図１は、ダム湖に設置した本発明の第１実施形態の浮沈式フェンスの平面図であり、図２は、上流側から見た浮沈式フェンスの正面図であり、図３は、浮沈式フェンスシステムの全体構成を示す回路図である。
【００２２】
第１実施形態の浮沈式フェンス１は、ダム湖１０の水面に浮上するフロート１８（Ａ，Ｂ）と、遮水用フェンス１７と、遮水用フェンス１７の下端を沈めるための錘体４と、遮水用フェンス１７の下端を浮上させる袋体５とを備えている。そして、この浮沈式フェンス１と、前記袋体５にエアを給排する給排装置６０とにより、浮沈式フェンスシステムが構成されている。なお、図２では、便宜上、フロート１８（Ａ）は線で示している。
【００２３】
前記フロート１８（Ａ，Ｂ）は、左岸と右岸（左、右は、上流側から下流側を見ての方向。以下同様。）にそれぞれ設置したアンカーブロック１６，１６のワイヤーに両端部が連結されている。この実施形態の浮沈式フェンス１の全長は、例えば約３０２ｍであり、最大たわみＤは、例えば約６５ｍである。前記フロート１８（Ａ，Ｂ）の全長Ｌ１も、浮沈式フェンス１の全長とほぼ同等である。
【００２４】
フロート１８（Ａ，Ｂ）は、ダム湖１０の水面に常時浮かぶ固定フロート１８（Ａ）と、エアの給排で浮沈する浮沈フロート１８（Ｂ）とで構成されている。
【００２５】
固定フロート１８（Ａ）は、右岸側と左岸側とにそれぞれ配置されており、右岸側の固定フロート１８（Ａ）と左岸側の固定フロート１８（Ａ）との間に、浮沈フロート１８（Ｂ）が配置されている。
【００２６】
浮沈フロート１８（Ｂ）は、管理用小型ボートが通過できる幅Ｌ５（例えば約６ｍ）で深さＨ２（例えば約２ｍ）まで沈下可能な長さの通水兼通船用浮沈フロート１８（Ｂ−１）と、この通水兼通船用浮沈フロート１８（Ｂ−１）と共に所望の通水量を確保するための通水専用浮沈フロート１８（Ｂ−２）とで構成されている。この実施形態では、これらフロート１８（Ｂ−１）、（Ｂ−２）の合計長さ（Ｌ２＋Ｌ３）は約４０ｍである。
【００２７】
通水兼通船用浮沈フロート１８（Ｂ−１）は、浮沈式フェンス１の略中央部から左岸側に長さＬ２で設けられ、通水専用浮沈フロート１８（Ｂ−２）は、同中央部から右岸側に長さＬ３で設けられている。
【００２８】
通水兼通船用浮沈フロート１８（Ｂ−１）は、合成ゴムで形成されており、エアの給気状態では円筒状（例えば外径が約４００ｍｍ）に膨張している。
【００２９】
なお、通水兼通船用浮沈フロート１８（Ｂ−１）の上部の両端位置には、チェーン等で補助フロート（図示せず）がそれぞれ連結されており、この補助フロートにより通水兼通船用浮沈フロート１８（Ｂ−１）の沈下時に水面に浮上することで、通水兼通船用浮沈フロート１８（Ｂ−１）の沈下位置を規制するようになっている。
【００３０】
また、通水兼通船用浮沈フロート１８（Ｂ−１）の上部の中央寄りの両側位置には、チェーン等で通船表示ブイ（図示せず）がそれぞれ連結されており、この左右一対の通船表示ブイが通水兼通船用浮沈フロート１８（Ｂ−１）の沈下時（一点鎖線参照）に水面に浮上することで、通船可能幅（例えば約６ｍ）Ｌ５を表示するようになっている。
【００３１】
通水専用浮沈フロート１８（Ｂ−２）は、通水兼通船用浮沈フロート１８（Ｂ−１）と同様に、合成ゴムで形成されており、エアの給気状態では円筒状（例えば外径が約４００ｍｍ）に膨張している。
【００３２】
この実施形態では、通水専用浮沈フロート１８（Ｂ−２）の上部の適当な位置（本例では４箇所）に、チェーン等で補助フロート（図示せず）がそれぞれ連結されており、この補助フロートが通水専用浮沈フロート１８（Ｂ−２）の沈下時に水面に浮上することで、通水専用浮沈フロート１８（Ｂ−２）の沈下位置を規制するようになっている。
【００３３】
通水兼通船用浮沈フロート１８（Ｂ−１）の右端部と通水専用浮沈フロート１８（Ｂ−２）の左端部とは、後述する連通弁２８および接続金具を介してエア連通可能に連結されている。一方、通水兼通船用浮沈フロート１８（Ｂ−１）の左端部と左岸側の固定フロート１８（Ａ）の右端部とは接続金具のみで連結され、同様に、通水専用浮沈フロート１８（Ｂ−２）の右端部と右岸側の固定フロート１８（Ａ）の左端部とは接続金具のみで連結されている。すなわち、フロート１８（Ｂ−１）、（Ｂ−２）と固定フロート１８（Ａ）とはエア連通不能な状態で単に連結されている。
【００３４】
前記遮水用フェンス１７は、上端がフロート１８（Ａ，Ｂ）に連結され、後記錘体４の重量によって下端側がフロート１８（Ａ，Ｂ）から水中に垂れ下がるように配置されている。この実施形態では、遮水用フェンス１７は合成樹脂製のシートで構成されており、その長さは、フロート１８（Ａ，Ｂ）と略同じ長さで、遮水用フェンス１７の高さＨは、例えば約１５ｍである。なお、遮水用フェンス１７は、場所や用途に応じて断水性のものとある程度の通水性を有したものが使用される。この実施形態では、断水性のものが使用されている。
【００３５】
前記袋体５は、遮水用フェンス１７の下端に支持された第１袋体５１と、第１袋体５１に収容された第２袋体５２とを備えている。
【００３６】
第１袋体５１は、図４に示すように、内部に第２袋体５２を収容する第２袋体収容部５１ａを有する筒状体から構成されている。この実施形態では、第１袋体５１は、遮水用フェンス１７を構成するシートの下端が折り返されて筒状に形成されることにより設けられている。よって、第１袋体は、図２に示すように、遮水用フェンス１７の全長とほぼ同じ長さを有し、遮水用フェンス１７の下端の全領域にわたって配置されている。なお、第１袋体５１は、遮水用フェンス１７とは別体に、合成樹脂製のシートなどから形成された筒状体が遮水用フェンス１７の下端に連結されたものであってもよい。
【００３７】
第２袋体５２は、この実施形態では、図４に示すように、内部に錘体４を収容する錘体収容部５２ａを有する合成ゴム製の筒状体から構成されている。また、第２袋体５２は、エアの浮力によって前記遮水用フェンス１７の下端を浮上させ得るように錘体収容部５２ａにエアを給排可能に形成されている。
【００３８】
この第２袋体５２は、第１袋体５１とほぼ同じ長さを有し、第１袋体５１の第２袋体収容部５１ａに全体が収容されている。
【００３９】
錘体４は、この実施形態では、複数の鎖素子が順次連結されたチェーン（鎖）からなり、遮水用フェンス１７の長さと略同じ長さを有する。この錘体４は、第２袋体５２の錘体収容部５２ａに収容されており、全体が第２袋体５２に覆い隠されている。錘体４は、その長手方向の両端を含む、複数箇所で第２袋体５２に固定されている。なお、図２では、錘体４の一部だけが表されている。
【００４０】
前記給排装置６０は、図３に示すように、エア供給機（コンプレッサ）６と、エア供給機６から延びた給気ホースと、通水兼通船用浮沈フロート１８（Ｂ−１）と通水専用浮沈フロート１８（Ｂ−２）とを繋ぐ連通弁２８と、通水兼通船用浮沈フロート１８（Ｂ−１）に設けられた排気弁３０とを備えている。なお、図３では、第１袋体５１及び錘体４は省略されている。
【００４１】
前記給気ホースは、エア供給機６から通水兼通船用浮沈フロート１８（Ｂ−１）に延びるフロート用給気ホース２９と、エア供給機６から第２袋体５２に延びる袋体用給気ホース５４と、エア供給機６から連通弁２８に延びる連通弁用給気ホース３２ａと、エア供給機６から排気弁３０に延びる排気弁用給気ホース３３ａとを備える。
【００４２】
フロート用給気ホース２９には、フロート用給気弁３１が設けられ、袋体用給気ホース５４には、袋体用給排気弁７１が設けられている。また、連通弁用給気ホース３２ａと排気弁用給気ホース３３ａとには、それぞれ、連通弁２８と排気弁３０の開閉を制御するエア駆動用弁３２ｂ，３３ｂがそれぞれ設けられている。さらに、袋体用給気ホース５４には、三方弁等の袋体用給排気弁７１が設けられている。
【００４３】
なお、この実施形態では、制御部７によって第２袋体５２へのエアの給気が袋体用給排気弁７１を介して自動制御されるようになっている。
【００４４】
詳しくは、遮水用フェンス１７には、水流によって遮水用フェンス１７にかかる張力を検出する検出センサ７２（本発明の検出部に相当する）が備えられている。制御部７は、袋体用給排気弁７１と検出センサ７２とのそれぞれと通信可能に接続されている。そして、検出センサ７２が遮水用フェンス１７に設定張力（本発明の設定値に相当する）以上の張力がかかったことを検出すると、制御部７は袋体用給排気弁７１を制御することにより、エア供給機６から第２袋体５２にエアを送る。
【００４５】
給気弁３１、エア駆動用弁３２ｂ，３３ｂは、陸上等の作業員が手動で操作可能であるが、管理用小型ボートの乗員等がリモコン等で遠隔操作することもできる。
【００４６】
また、袋体用給排気弁７１は、制御部７によって自動制御される形態のものに限らず、手動操作できるものであってもよく、適宜変更できる。また、検出センサ７２は、遮水用フェンス１７にかかる張力を検出するものに限らず、例えば水流の流量や流速を検出するものであってもよく、要は、水流によって遮水用フェンス１７に働く外力又は当該外力に比例する物理量を検出するものであればよい。
【００４７】
次に、以上のように構成された第１実施形態の浮沈式フェンス１の動作について説明する。まず、通水兼通船用浮沈フロート１８（Ｂ−１）と通水専用浮沈フロート１８（Ｂ−２）との動作から説明する。
【００４８】
通常は、排気弁３０を閉じ、連通弁２８を開くことで、エア供給機６から給気ホース２９を介して通水兼通船用浮沈フロート１８（Ｂ−１）にエアが給気され、連通弁２８を介して通水専用浮沈フロート１８（Ｂ−２）にもエアが給気される。これにより、通水兼通船用浮沈フロート１８（Ｂ−１）と通水専用浮沈フロート１８（Ｂ−２）とが水面に浮かんだ状態に保たれる。そのため、上流側の水は、遮水用フェンス１７の下方を通じてのみ下流側に流れる。
【００４９】
この際、遮水用フェンス１７の下端に配置した錘体４が袋体５１、５２に収容されているため、錘体と袋体とが別途に配置されている場合に比べて水の抵抗が小さくなる。したがって、遮水用フェンス１７の下方から下流側に円滑に水を流すことができる。
【００５０】
そして、必要に応じて排気弁３０と連通弁２８を開くと、通水兼通船用浮沈フロート１８（Ｂ−１）と通水専用浮沈フロート１８（Ｂ−２）のエアが排気されるので、通水兼通船用浮沈フロート１８（Ｂ−１）と通水専用浮沈フロート１８（Ｂ−２）とは水中に沈下するようになる。これにより、上流側の水は、遮水用フェンス１７の上端のうち、沈下した通水兼通船用浮沈フロート１８（Ｂ−１）と通水専用浮沈フロート１８（Ｂ−２）の部分を通じても下流側に流れるようになる。
【００５１】
なお、通水兼通船用浮沈フロート１８（Ｂ−１）と通水専用浮沈フロート１８（Ｂ−２）とが水面に浮かんだ状態で、管理用小型ボートを通過させるためには、連通弁２８を閉じ、排気弁３０を開けば、通水兼通船用浮沈フロート１８（Ｂ−１）のエアだけが排気されるので、通水専用浮沈フロート１８（Ｂ−２）を水面に浮かべたままで、通水兼通船用浮沈フロート１８（Ｂ−１）だけを幅Ｌ５に亘って深さＨ２まで水中に沈下させることができる。これにより、小型ボートを通水兼通船用浮沈フロート１８（Ｂ−１）の上流側と下流側とに自由に通過させることができる。
【００５２】
次に、袋体５の動作について説明する。例えば上流側から多量の濁水が早い速度で流れ込み、遮水用フェンス１７に前記設定張力以上の張力がかかったことが検出センサ７２により検出されると、制御部７は、袋体用給排気弁７１を制御し、当該袋体用給排気弁７１を介してエア供給機６から第２袋体５２にエアを送る。これにより、図４、図５に示すように、錘体４が収容された第２袋体５２にエアが溜まり、第２袋体５２に錘体４の重量よりも大きい浮力が働くと、第２袋体５２が錘体４と共に水面まで浮上することとなる。これに伴い、遮水用フェンス１７の下部が水面まで浮上する結果、当該遮水用フェンス１７による遮水状態が解除される。したがって、遮水用フェンス１７が多量の濁水の水圧を受け続けることによって損傷することが防止される。
【００５３】
この際、遮水用フェンス１７の下端に配置した錘体４は袋体５１、５２に収容されているため、遮水用フェンス１７の下端を上げる際には、錘体と袋体とが別途に配置されている場合に比べて水の抵抗を小さくでき、遮水用フェンス１７の下端を円滑に浮上させることができる。
【００５４】
また、錘体４が外部に露出している場合には、チェーンからなる錘体４に異物が引っ掛かりやすく、その異物が、遮水用フェンス１７の下端の浮上に際して遮水用フェンス１７に擦れて遮水用フェンス１７が損傷を受けるおそれがある。また、錘体４に異物が引っ掛かっていない場合でも、錘体４自体が遮水用フェンス１７の浮上に際して遮水用フェンス１７に擦れて遮水用フェンス１７が損傷を受けるおそれがある。
【００５５】
しかし、上記実施形態の遮水用フェンス１７によれば、錘体４が袋体５１、５２に収容されているため、チェーンからなる錘体４に異物が引っ掛かるおそれがなく、遮水用フェンス１７の下端を上げる際に当該異物によって遮水用フェンス１７が損傷を受けることがない。また、遮水用フェンス１７の下端を上げる際に錘体４が直接遮水用フェンス１７に擦れることがなく、よって、錘体４により遮水用フェンス１７が損傷を受けることもない。
【００５６】
また、錘体４を収容した第２袋体５２がさらに第１袋体５１に収容されているため、第２袋体５２が遮水用フェンス１７に擦れることがなく、第２袋体５２が遮水用フェンス１７に擦れて損傷を受けることが防止される。したがって、長期の使用でも、袋体が破れてフェンス下端の上げ下げに支障が生じたり錘体が露出することを防止することが可能となる。
【００５７】
なお、遮水用フェンス１７を元の状態（図１に示す状態）に戻すには、作業員が手動で、又はリモコン等による遠隔操作で袋体用給排気弁７１を操作し、当該袋体用給排気弁７１から第２袋体５２のエアを排気させる。これにより、錘体４の重量によって遮水用フェンス１７の下部を水中に沈下させる。
【００５８】
この場合も、遮水用フェンス１７の下端に配置した錘体４は袋体５１、５２に収容されているため、遮水用フェンス１７の下端を浮上させる場合と同様に、水の抵抗を小さくでき、遮水用フェンス１７の下端を円滑に下げることができる。また、錘体４が袋体５１、５２に収容されているため、チェーンからなる錘体４に異物が引っ掛かるおそれがなく、遮水用フェンス１７の下端を下げる際に当該異物によって遮水用フェンス１７が損傷を受けることがない。また、遮水用フェンス１７の下端を下げる際に錘体４が直接遮水用フェンス１７に擦れることがなく、よって、錘体４により遮水用フェンス１７が損傷を受けることもない。
【００５９】
なお、上記第１実施形態では、袋体５は、第１袋体５１と第２袋体５２とから構成されたが、この形態のものに限らず、例えば第２袋体５２のみで構成されてもよく、適宜変更できる。但し、第１袋体５１と第２袋体５２とからなる構成によれば、流木等の異物との接触により第２袋体５２（エアが供給される袋体）が損傷を受けることが防止される。そのため、浮沈式フェンス１の耐久性を向上させることができるという利点がある。
【００６０】
次に、第２実施形態の浮沈式フェンス１００について、図６〜図８に基づいて説明する。第２実施形態の浮沈式フェンス１００は、第１実施形態のものと同様に、フロート１８（Ａ，Ｂ）と、遮水用フェンス１７と、錘体１０４と、袋体１５２とを備えている。そして、この浮沈式フェンス１００と給排装置６０（図３参照）とで浮沈式フェンスシステムが構成されている。なお、フロート１８（Ａ、Ｂ）、遮水用フェンス１７及び給排装置６０は、第１実施形態のものと同様の構成を採っている。
【００６１】
第２実施形態の錘体１０４は、内部に袋体収容部１４２を有する筒状体から構成されている。この錘体１０４は、例えば合成樹脂（ゴム）製の断面外周形状が楕円状のフレキシブルチューブであり、遮水用フェンス１７の長さと略同じ長さを有し、遮水用フェンス１７の下端を沈め得る重量を有する。なお、錘体１０４は、断面外周形状が楕円状に限らず、例えば断面外周形状が円形状のものでもよく、適宜変更できる。
【００６２】
錘体１０４の周面には、外部から袋体収容部１４２に貫通する複数の貫通孔１４１が形成されている。これらの貫通孔１４１は、袋体収容部１４２への水の侵入を許容して内部の空気を排出させるためのもので、錘体１０４の長手方向に亘って形成されている。なお、図６では、一部の貫通孔１４１だけ表している。
【００６３】
袋体１５２は、合成ゴム製の筒状体から構成されている。そして、袋体１５２は、錘体１０４の袋体収容部１４２に収容されている。また、袋体１５２は、袋体用給気ホース５４を介して袋体用給排気弁７１に連結されている。
【００６４】
このように構成された第２実施形態の浮沈式フェンス１００では、通常は、袋体１５２にエアが供給されておらず、遮水用フェンス１７の下端は、錘体１０４の重量で沈下した状態となっている。
【００６５】
この状態で、遮水用フェンス１７に前記設定張力以上の張力がかかったことが検出センサ７２により検出されると、制御部７による袋体用給排気弁７１の制御により、エア供給機６から第２袋体５２にエアが送られる。これにより、図７、図８に示すように、錘体１０４に収容された袋体１５２にエアが溜まり、袋体１５２に錘体１０４の重量よりも大きい浮力が働くと、袋体１５２と共に錘体１０４が水面まで浮上することとなる。これに伴い、遮水用フェンス１７の下部が水面まで浮上する結果、当該遮水用フェンス１７による遮水状態が解除される。したがって、遮水用フェンス１７が多量の濁水の水圧を受けて損傷することが防止される。
【００６６】
その際、遮水用フェンス１７の下端に配置した袋体１５２は錘体１０４に収容されているため、遮水用フェンス１７の下端を上げる際に、錘体と袋体とを別途に配置している場合に比べて水の抵抗を小さくでき、遮水用フェンス１７の下端を円滑に浮上させることができる。
【００６７】
また、錘体１０４は、断面外周形状が楕円形状であるため、錘体１０４に異物が引っ掛かり難く、遮水用フェンス１７の下端を上げる際に当該異物が遮水用フェンス１７に擦れることが軽減される。また、遮水用フェンス１７の下端を上げる際に錘体１０４が直接遮水用フェンス１７に擦れた場合でも、錘体１０４の接触抵抗が小さく、遮水用フェンス１７を損傷し難くい。従って、錘体１０４やこれに引っ掛かった異物との擦れによる損傷から遮水用フェンス１７を保護することができる。
【００６８】
なお、遮水用フェンス１７を元の状態（図６に示す状態）に戻すには、作業員が手動で、又はリモコン等による遠隔操作で袋体用給排気弁７１を操作し、当該袋体用給排気弁７１から袋体１５２のエアを排気させる。これにより、錘体１０４の重量によって遮水用フェンス１７の下部を水中に沈下させる。
【００６９】
この場合も、錘体１０４は断面外周形状が楕円状であるため、遮水用フェンス１７の下端を浮上させる場合と同様に、水の抵抗を小さくでき、遮水用フェンス１７の下端を円滑に下げることができる。また、遮水用フェンス１７の下端を下げる際に、錘体１０４が直接遮水用フェンス１７に擦れた場合でも、錘体１０４の接触抵抗が小さく、遮水用フェンス１７を損傷し難くい。従って、錘体１０４やこれに引っ掛かった異物との擦れによる損傷から遮水用フェンス１７を保護することができる。
【００７０】
また、遮水用フェンス１７の下端が沈んだ状態で、遮水用フェンス１７の下端に配置した錘体１０４に袋体１５２が収容されているため、錘体１０４と袋体１５２とを別途に配置している場合に比べて水の抵抗を小さくできる。したがって、遮水用フェンス１７の下方から下流側に円滑に水を流すことができる。
【００７１】
また、このように錘体１０４に袋体１５２が収容されていることで、流木等の異物との接触により袋体１５２が損傷を受けることが防止される。そのため、浮沈式フェンス１００の耐久性を向上させることができるという利点もある。
【００７２】
なお、上記実施形態では、フロート１８（Ａ，Ｂ）は、固定フロート１８（Ａ）と、浮沈フロート１８（Ｂ）とで構成されたが、この形態のものに限らず、例えば固定フロート１８（Ａ）だけで構成されたものでもよく、適宜変更できる。
【符号の説明】
【００７３】
１、１００  浮沈式フェンス
４、１０４  錘体
５  袋体
６  エア供給機
１７  遮水用フェンス
１８  フロート
１８（Ａ）  固定フロート
１８（Ｂ）  浮沈フロート
１８（Ｂ−１）  通水兼通船用浮沈フロート
１８（Ｂ−２）  通水専用浮沈フロート
５１    第１袋体
５２    第２袋体
【図１】
2018178504.tif 000003
【図２】
2018178504.tif 000004
【図３】
2018178504.tif 000005
【図４】
2018178504.tif 000006
【図５】
2018178504.tif 000007
【図６】
2018178504.tif 000008
【図７】
2018178504.tif 000009
【図８】
2018178504.tif 000010